(57)【要約】本発明は、リングネットワークを構成する通信装置でＳＴＳバンドル回線の回線フォーマットを設定する回線フォーマット設定方法において、接続されている複数のラインそれぞれのラインアラームを検出し、ラインアラームを検出したラインの全パスにパスアラーム情報を挿入し、複数のラインそれぞれの全パスのパスアラーム情報を検出し、接続されている複数のラインそれぞれのコンカチネーション情報を検出し、前記複数のラインそれぞれの全パスのパスアラーム情報を基に、コンカチネーション情報の受信ラインを選択し、選択された受信ラインのコンカチネーション情報を用いて前記ＳＴＳバンドル回線の回線フォーマットを設定することにより、障害発生時のＵＰＳＲネットワークにおいて確実にフォーマットの自動設定を行うことが可能となり、ＵＰＳＲネットワークにおけるＳＴＳバンドル回線使用時の障害復旧が可能となる。
2004051898.tif 000002
【特許請求の範囲】
【請求項１】
リングネットワークを構成する通信装置でＳＴＳバンドル回線の回線フォーマットを設定する回線フォーマット設定方法において、
接続されている複数のラインそれぞれのラインアラームを検出し、ラインアラームを検出したラインの全パスにパスアラーム情報を挿入し、
複数のラインそれぞれの全パスのパスアラーム情報を検出し、
接続されている複数のラインそれぞれのコンカチネーション情報を検出し、
前記複数のラインそれぞれの全パスのパスアラーム情報を基に、コンカチネーション情報の受信ラインを選択し、
選択された受信ラインのコンカチネーション情報を用いて前記ＳＴＳバンドル回線の回線フォーマットを設定する回線フォーマット設定方法。
【請求項２】
リングネットワークを構成する通信装置でＳＴＳバンドル回線の回線フォーマットを設定する回線フォーマット設定方法において、
接続されている複数のラインそれぞれのラインアラームを検出し、ラインアラームを検出したラインの全パスにパスアラーム情報を挿入し、
複数のラインそれぞれの全パスのパスアラーム情報を検出し、
複数のラインそれぞれの各パスのポインタ消失を検出し、
接続されている複数のラインそれぞれのコンカチネーション情報を検出し、
前記複数のラインそれぞれの全パスのパスアラーム情報と各パスのポインタ消失情報を基に、コンカチネーション情報の受信ラインを選択し、
選択された受信ラインのコンカチネーション情報を用いて前記ＳＴＳバンドル回線の回線フォーマットを設定する回線フォーマット設定方法。
【請求項３】
リングネットワークを構成する通信装置でＳＴＳバンドル回線の回線フォーマットを設定する回線フォーマット設定方法において、
接続されている複数のラインそれぞれのラインアラームを検出し、ラインアラームを検出したラインの全パスにパスアラーム情報を挿入し、
前記ラインアラームを検出したときリモートアラーム情報をオーバーヘッド情報に挿入して接続されているラインに送出し、
接続されている複数のラインそれぞれのリモートアラーム情報を検出し、
接続されている複数のラインそれぞれのコンカチネーション情報を検出し、
前記複数のラインそれぞれの全パスのパスアラーム情報と前記複数のラインそれぞれのリモートアラーム情報を基に、コンカチネーション情報の受信ラインを選択し、
選択された受信ラインのコンカチネーション情報を用いて前記ＳＴＳバンドル回線の回線フォーマットを設定する回線フォーマット設定方法。
【請求項４】
リングネットワークを構成する通信装置でＳＴＳバンドル回線の回線フォーマットを設定する回線フォーマット設定方法において、
接続されている複数のラインそれぞれのラインアラームを検出し、ラインアラームを検出したラインの全パスにパスアラーム情報を挿入し、
接続されている複数のラインそれぞれのコンカチネーション変化情報を検出し、
接続されている複数のラインそれぞれのコンカチネーション情報を検出し、
前記複数のラインそれぞれの全パスのパスアラーム情報と前記複数のラインそれぞれのコンカチネーション変化情報を基に、コンカチネーション情報の受信ラインを選択し、
選択された受信ラインのコンカチネーション情報を用いて前記ＳＴＳバンドル回線の回線フォーマットを設定したときコンカチネーション変化情報をオーバーヘッド情報に挿入して接続されているラインに送出する回線フォーマット設定方法。
【請求項５】
リングネットワークを構成し、ＳＴＳバンドル回線の回線フォーマットを設定する通信装置において、
接続されている複数のラインそれぞれのラインアラームを検出し、ラインアラームを検出したラインの全パスにパスアラーム情報を挿入するラインアラーム検出手段と、
複数のラインそれぞれの全パスのパスアラーム情報を検出するパスアラーム検出手段と、
接続されている複数のラインそれぞれのコンカチネーション情報を検出するコンカチネーション情報検出手段と、
前記複数のラインそれぞれの全パスのパスアラーム情報を基に、コンカチネーション情報の受信ラインを選択するコンカチネーション情報受信ライン選択手段を有し、
選択された受信ラインのコンカチネーション情報を用いて前記ＳＴＳバンドル回線の回線フォーマットを設定する通信装置。
【請求項６】
リングネットワークを構成し、ＳＴＳバンドル回線の回線フォーマットを設定する通信装置において、
接続されている複数のラインそれぞれのラインアラームを検出し、ラインアラームを検出したラインの全パスにパスアラーム情報を挿入するラインアラーム検出手段と、
複数のラインそれぞれの全パスのパスアラーム情報を検出するパスアラーム検出手段と、
複数のラインそれぞれの各パスのポインタ消失を検出するポインタ消失検出手段と、
接続されている複数のラインそれぞれのコンカチネーション情報を検出するコンカチネーション情報検出手段と、
前記複数のラインそれぞれの全パスのパスアラーム情報と各パスのポインタ消失情報を基に、コンカチネーション情報の受信ラインを選択するコンカチネーション情報受信ライン選択手段を有し、
選択された受信ラインのコンカチネーション情報を用いて前記ＳＴＳバンドル回線の回線フォーマットを設定する通信装置。
【請求項７】
請求項６記載の通信装置において、
前記複数のラインそれぞれの各パスのポインタ消失の期間を計時してポインタ消失期間が所定値を越えるときに、前記コンカチネーション情報受信ライン選択手段による、コンカチネーション情報の受信ラインを選択させるタイマ手段を有する通信装置。
【請求項８】
請求項６または７記載の通信装置において、
前記複数のラインのスロットのうち一方向パス切り替えリングに使用されるスロットが固定されている通信装置。
【請求項９】
請求項６記載の通信装置において、
前記複数のラインのスロットのうち一方向パス切り替えリングに使用されるスロットが特定されておらず、
前記複数のラインそれぞれのリング相手ライン情報を格納する格納手段を有し、
前記コンカチネーション情報受信ライン選択手段は、前記リング相手ライン情報に基づいて選択した複数のラインの全パスのパスアラーム情報と各パスのポインタ消失情報を基にコンカチネーション情報の受信ラインを選択する通信装置。
【請求項１０】
請求項９記載の通信装置において、
前記複数のラインそれぞれのリング相手ライン情報は、クロスコネクト設定に用いられるメモリ情報を使用して生成する通信装置。
【請求項１１】
リングネットワークを構成し、ＳＴＳバンドル回線の回線フォーマットを設定する通信装置において、
接続されている複数のラインそれぞれのラインアラームを検出し、ラインアラームを検出したラインの全パスにパスアラーム情報を挿入するラインアラーム検出手段と、
前記ラインアラーム検出手段でラインアラームを検出したときリモートアラーム情報をオーバーヘッド情報に挿入して接続されているラインに送出するリモートアラーム情報挿入手段と、
接続されている複数のラインそれぞれのリモートアラーム情報を検出するリモートアラーム情報検出手段と、
接続されている複数のラインそれぞれのコンカチネーション情報を検出するコンカチネーション情報検出手段と、
前記複数のラインそれぞれの全パスのパスアラーム情報と前記複数のラインそれぞれのリモートアラーム情報を基に、コンカチネーション情報の受信ラインを選択するコンカチネーション情報受信ライン選択手段を有し、
選択された受信ラインのコンカチネーション情報を用いて前記ＳＴＳバンドル回線の回線フォーマットを設定する通信装置。
【請求項１２】
リングネットワークを構成し、ＳＴＳバンドル回線の回線フォーマットを設定する通信装置において、
接続されている複数のラインそれぞれのラインアラームを検出し、ラインアラームを検出したラインの全パスにパスアラーム情報を挿入するラインアラーム検出手段と、
接続されている複数のラインそれぞれのコンカチネーション変化情報を検出するコンカチネーション変化情報検出手段と、
接続されている複数のラインそれぞれのコンカチネーション情報を検出するコンカチネーション情報検出手段と、
前記複数のラインそれぞれの全パスのパスアラーム情報と前記複数のラインそれぞれのコンカチネーション変化情報を基に、コンカチネーション情報の受信ラインを選択するコンカチネーション情報受信ライン選択手段と、
選択された受信ラインのコンカチネーション情報を用いて前記ＳＴＳバンドル回線の回線フォーマットを設定したときコンカチネーション変化情報をオーバーヘッド情報に挿入して接続されているラインに送出するコンカチネーション変化情報挿入手段を
有する通信装置。
【発明の詳細な説明】
【技術分野】  本発明は、回線フォーマット設定方法及びそれを用いた通信装置に関し、特に、リングネットワークにおける回線フォーマット設定方法及びそれを用いた通信装置に関する。
【背景技術】  近年、通信サービス業への参入業者の拡大及び各種サービスの多様化の要求に伴い、通信回線保有業者が通信回線非保有業者に対し回線を提供することが多く見られるようになっている。その際、回線保有業者が提供する回線を最初に指定するだけで、その後、介在することなしに主信号の回線フォーマットを自動認識し、フォーマットの自動設定を行う回線（ＳＴＳバンドル回線）の提供への要求が高まっている。
さらに、ネットワークのプロテクション構成として現在はＵＰＳＲ（Ｕｎｉｄｉｒｅｃｔｉｏｎａｌ  Ｐａｔｈ  Ｓｗｉｔｃｈｅｄ  Ｒｉｎｇ：単方向パス切り替えリング）等のリングネットワーク構成が主流となっており、ＳＴＳバンドル回線のＵＰＳＲネットワークへの適用の要求が高まっている。
以下に、ＳＯＮＥＴ（Ｓｙｎｃｈｒｏｎｏｕｓ  Ｏｐｔｉｃａｌ  Ｎｅｔｗｏｒｋ）における通信回線ＯＣ−４８（Ｏｐｔｉｃａｌ  Ｃａｒｒｉｅｒ−４８）ラインを例にとって機能説明する。ＯＣ−４８ラインの場合、ＳＴＳバンドル回線はＳＴＳ−４８ｃを１回線、ＳＴＳ−１２ｃを４回線、ＳＴＳ−３ｃを１８回線、或いはＳＴＳ−１２ｃとＳＴＳ−３ｃを組み合わせて設定することが可能である。
ＳＴＳバンドル回線は、双方向で違うフォーマット設定となることは許していない。つまり、一方のラインＳ１−１から他方のラインＳ２−１はＳＴＳ−１フォーマットを設定する場合には、ラインＳ２−１からラインＳ１−１はＳＴＳ−１フォーマットを設定することだけが許可され、ＳＴＳ−３ｃフォーマットを設定することは許可されない。故に、どちらか一方のラインからのコンカチネーション情報を優先的に選択しフォーマット設定を行う必要がある。
ここで、コンカチネーション情報とは回線フォーマットの情報である。例えばＯＣ−４８の場合は、ＳＴＳ−１，ＳＴＳ−３ｃ，ＳＴＳ−１２ｃ，ＳＴＳ−４８ｃをフォーマットに持つ。そこで、ＳＴＳバンドル回線ではコンカチネーション情報の受信ラインの優先設定（コンフィグ設定）を持っており、コンフィグ設定されたラインからのコンカチネーション情報に従って、フォーマット設定が優先的に実行される。
図１は従来のＳＴＳバンドル機能を持つ通信装置の一例の構成図、図２は図１内のソフトウエア処理機能の構成図を示す。図１において、通信装置１０のコンカチネーション検出部１２Ａ，１２ＢにてラインＳ１−１，Ｓ２−１それぞれの入力信号のＳＯＨ（Ｓｅｃｔｉｏｎ  ＯｖｅｒＨｅａｄ）内ポインタからコンカチネーション情報の検出を行って、検出結果をＣＰＵ１４に通知する。
また、ラインアラーム検出部１６Ａ，１６Ｂにおいて、ＬＯＳ（Ｌｏｓｓ  Ｏｆ  Ｓｉｇｎａｌ），ＬＯＦ（Ｌｏｓｓ  Ｏｆ  Ｆｒａｍｅ），ＡＩＳ−Ｌ（Ａｌａｒｍ  Ｉｎｄｉｃａｔｉｏｎ  Ｓｉｇｎａｌ−Ｌｉｎｅ）等の各ラインアラームの検出を行い、結果をＣＰＵに通知する。クロスコネクト部１８Ａ，１８ＢそれぞれはＣＰＵ１４よりフォーマット設定実行命令を受けたら、フォーマット設定を実行する。
図２において、ＣＰＵ１４内のソフトウエア処理として、コンカチネーション情報受信ライン判定部２０では、ラインＳ１−１，Ｓ２−１それぞれのラインアラーム状態を比較し、セレクタ２２により回線品質の高い方のラインよりコンカチネーション情報を選択する。もし、両ラインにてラインアラームなし、或いは両ラインにてラインアラームありの場合は、コンフィグ設定されているライン（例えばＳ１−１）のコンカチネーション情報を選択する。
フォーマット設定実行処理部２４は、選択されたコンカチネーション情報を基にフォーマット設定実行命令を図１のクロスコネクト部１８Ａ，１８Ｂに対し送出する。
しかし、このようにラインアラーム状態を比較してコンカチネーション情報の受信ラインを選択する従来装置では、ＳＴＳバンドル回線をＵＰＳＲネットワークに適用した場合に以下の問題が発生する。
図３は、ＳＴＳバンドル回線を適用したＵＰＳＲネットワークの構成図を示す。同図中、下線を付したラインはコンフィグ設定されているものを示している。ここで、ノードＡ及びノードＣのようにパススイッチを実行しているノードにおいて、ラインＳ３−１はラインＳ１−１及びＳ２−１間でＳＴＳバンドル回線設定が行われる。
この場合、コンフィグ設定をＵＰＳＲネットワーク側のラインＳ１−１，Ｓ２−１に設定した場合は、ラインＳ１−１とＳ２−１の間でも優先順位をつける必要があり、パススイッチのディフォルト側が優先順位を持つ。
ここで、ノードＡのラインＳ３−１より入力される信号がＳＴＳ−１からＳＴＳ−３ｃに変化した場合、ネットワーク内に障害が発生していないときは、全てのノードにて正常にフォーマット変更を行うことができる。
しかし、ノードＡ，Ｂ間のラインにて障害が発生しているケースにおいては以下の動作となる。ノードＡ，ノードＤでは正常にフォーマットが変更される。ノードＢではラインＳ１−１においてラインアラームが発生しているためコンカチネーション情報の受信ラインはラインＳ２−１に切り替わる。そのため、フォーマットの変更はノードＣのフォーマットが変更されるまで変更できない。ノードＣでは、ラインＳ１−１の全てのパスでＡＩＳ−Ｐ（Ａｌａｒｍ  ｉｎｄｉｃａｔｉｏｎ  ｓｉｇｎａｌ−Ｐａｔｈ）が発生するが、ラインアラームは発生していないため、コンカチネーション情報の受信ラインはＳ１−１のままであり、回線フォーマットの変更ができない。故に、ノードＢ及びノードＣにおいてはフォーマットの変更ができず、ネットワーク内でフォーマット設定のミスマッチが発生し、主信号が断となってしまうという問題があった。
また、ＳＴＳバンドル回線内のパスでＬＯＰ−Ｐ（Ｌｏｓｓ  ｏｆ  ｐｏｉｎｔｅｒ−ｐａｔｈ）が発生している場合は、正常なコンカチネーション情報の検出ができないため、フォーマット設定を行うことができず、或いは、誤ったフォーマット設定を行ってしまうといった危険性があるという問題があった。
【発明の開示】
本発明は、障害発生時のＵＰＳＲネットワークにおいて確実にフォーマットの自動設定を行うことが可能となり、ＵＰＳＲネットワークにおけるＳＴＳバンドル回線使用時の障害復旧が可能となる回線フォーマット設定方法及びそれを用いた通信装置を提供することを総括的な目的とする。
この目的を達成するため、本発明は、リングネットワークを構成する通信装置でＳＴＳバンドル回線の回線フォーマットを設定する回線フォーマット設定方法において、接続されている複数のラインそれぞれのラインアラームを検出し、ラインアラームを検出したラインの全パスにパスアラーム情報を挿入し、複数のラインそれぞれの全パスのパスアラーム情報を検出し、接続されている複数のラインそれぞれのコンカチネーション情報を検出し、前記複数のラインそれぞれの全パスのパスアラーム情報を基に、コンカチネーション情報の受信ラインを選択し、選択された受信ラインのコンカチネーション情報を用いて前記ＳＴＳバンドル回線の回線フォーマットを設定するよう構成される。
このような回線フォーマット設定方法によれば、障害発生時のＵＰＳＲネットワークにおいて確実にフォーマットの自動設定を行うことが可能となり、ＵＰＳＲネットワークにおけるＳＴＳバンドル回線使用時の障害復旧が可能となる。
【図面の簡単な説明】  図１は、従来のＳＴＳバンドル機能を持つ通信装置の一例の構成図である。
図２は、図１内のソフトウエア処理機能の構成図である。
図３は、ＳＴＳバンドル回線を適用したＵＰＳＲネットワークの構成図である。
図４は、本発明を適用したＳＴＳバンドル機能を持つ通信装置の第１実施例の構成図である。
図５は、図４内のソフトウエア処理機能の構成図である。
図６は、本発明を適用したＳＴＳバンドル機能を持つ通信装置の第２実施例の構成図である。
図７は、図６内のソフトウエア処理機能の構成図である。
図８は、ＵＰＳＲネットワークに使用するスロットが固定されている場合の本発明を適用した装置の第３実施例の構成図である。
図９は、ＵＰＳＲネットワークに使用するスロットが特定されていない場合の本発明を適用した装置の第４実施例の構成図である。
図１０は、リング相手ライン情報認識回路部の一実施例の構成図である。
図１１は、リング相手チャンネル情報の自動検出を説明するためのタイミングチャートである。
図１２は、本発明を適用したＳＴＳバンドル機能を持つ通信装置の第５実施例の構成図である。
図１３は、図１２内のソフトウエア処理機能の構成図である。
図１４は、第５実施例の通信装置をノードとして用いたＵＰＳＲネットワークの一実施例の構成図である。
図１５は、本発明を適用したＳＴＳバンドル機能を持つ通信装置の第６実施例の構成図である。
図１６は、図１５内のソフトウエア処理機能の構成図である。
図１７は、第６実施例の通信装置をノードとして用いたＵＰＳＲネットワークの一実施例の構成図である。
【発明を実施するための最良の形態】  以下、本発明の実施例を図面に基づいて説明する。
図４は本発明を適用したＳＴＳバンドル機能を持つ通信装置の第１実施例の構成図、図５は図４内のソフトウエア処理機能の構成図を示す。
図４において、コンカチネーション検出部３２Ａ，３２Ｂは、ラインＳ１−１，Ｓ２−１それぞれの入力信号におけるＳＯＨ内のポインタであるＨ１，Ｈ２バイトからコンカチネーション情報を検出し、その検出結果をＣＰＵ３４に通知する。
ラインアラーム検出部３６Ａ，３６Ｂは、ラインＳ１−１，Ｓ２−１それぞれの各ラインアラーム（ＬＯＳ，ＬＯＦ，ＡＩＳ−Ｌ）の検出を行って、ラインアラーム検出時はライン内の全パスにＡＩＳ−Ｐ（Ａｌａｒｍ  Ｉｎｄｉｃａｔｉｏｎ  Ｓｉｇｎａｌ−Ｐａｔｈ）を挿入する。
ＡＩＳ−Ｐ検出部３８Ａ，３８Ｂは各ラインのＡＩＳ−Ｐの検出を行い、その検出結果をＣＰＵ３４に通知する。クロスコネクト部４０はＣＰＵ３４からフォーマット設定実行命令を受信したら、回線フォーマット設定を実行する。
図５において、コンカチネーション情報受信ライン判定部４２は、両ラインＳ１−１，Ｓ２−１のＳＴＳバンドル内のＡＩＳ−Ｐを利用してコンカチネーション情報を受信するラインの判定を行い、セレクタ（ＳＥＬ）４６の切り替えを行う。
ラインＳ１−１のＳＴＳバンドルの全パスのＡＩＳ−Ｐはアンド回路４３Ａで論理積をとられ、ラインＳ２−１のＳＴＳバンドルの全パスのＡＩＳ−Ｐはアンド回路４３Ｂで論理積をとられてコンカチネーション情報受信ライン判定部４４に供給される。コンカチネーション情報受信ライン判定部４４はＳＴＳバンドル内の全てのパスでＡＩＳ−Ｐが発生している時にコンカチネーション情報の受信ラインの切り替えを行い、ＳＴＳバンドル内のパスが１パスでもＡＩＳ−Ｐでなかった場合は切り替えを行わない。両ラインの全パスがＡＩＳ−Ｐの場合、または、両ラインの全パスがＡＩＳ−Ｐでない場合は、コンフィグ設定ラインのコンカチネーション情報を優先する。
フォーマット設定実行処理部４８はセレクタ４６で選択されたコンカチネーション情報に従って、フォーマット設定実行命令をクロスコネクト部４０に通知する。
本実施例では、ＳＴＳバンドル内の全パスのＡＩＳ−Ｐ情報を使用してコンカチネーション情報の受信ラインの選択を行うことにより、従来のラインアラーム比較によるコンカチネーション情報の受信ラインの選択では救済できなかった図３に示すノードＡ，Ｂ間のラインにて障害が発生しているケースにおいても、ノードＣはＳ１−１のＳＴＳバンドル内の全パスがＡＩＳ−Ｐとなるため、コンカチネーション情報の受信ラインはラインＳ２−１に切り替えることが可能となり、障害発生時のＵＰＳＲネットワークにおいても正確な回線フォーマットの自動設定を行うことが可能となる。
図６は本発明を適用したＳＴＳバンドル機能を持つ通信装置の第２実施例の構成図、図７は図６内のソフトウエア処理機能の構成図を示す。図６及び図７において、図４及び図５と同一部分には同一符号を付す。
図６において、ラインアラーム検出部３６Ａ，３６Ｂは、ラインＳ１−１，Ｓ２−１のラインアラーム（ＬＯＳ，ＬＯＦ，ＡＩＳ−Ｌ）の検出を行って、ラインアラーム検出時にはライン内の全パスにＡＩＳ−Ｐを挿入する。ＡＩＳ−Ｐ検出部３８Ａ，３８ＢはＡＩＳ−Ｐの検出を行い、その検出結果をＣＰＵ３４に通知する。
ＰＴＲ処理部５０Ａ，５０Ｂ内のコンカチネーション検出部３２Ａ，３２ＢはラインＳ１−１，Ｓ２−１それぞれの入力信号のＳＯＨ内のポインタであるＨ１，Ｈ２バイトからコンカチネーション情報を検出し、ＬＯＰ−Ｐ検出部５１Ａ，５１ＢはＨ１，Ｈ２バイトのＬＯＰ−Ｐ情報を検出し、それぞれの検出結果をＣＰＵ３４に通知する。クロスコネクト部４０はＣＰＵ３４からフォーマット設定実行命令を受信したら、回線フォーマット設定を実行する。
図７において、コンカチネーション情報受信ライン判定部５２では、アンド回路５３Ａ、５３ＢでラインＳ１−１，Ｓ２−１それぞれにおけるＳＴＳバンドル内の全パスのＡＩＳ−Ｐ情報の論理積を求め、オア回路５４Ａ，５４Ｂで各ＳＴＳバンドル内のＬＯＰ−Ｐの論理和を求め、オア回路５４Ａ，５４Ｂで上記論理積と論理和との論理和をとってコンカチネーション情報受信ライン判定部５６に供給する。コンカチネーション情報受信ライン判定部５６では、この情報を使用してコンカチネーション情報受信ラインの判定を行い、セレクタ４６の切り替えを行う。
ＳＴＳバンドル内のいずれかのパスでＬＯＰ−Ｐのアラームが発生するか、全パスでＡＩＳ−Ｐのアラームが発生したときは、アラーム発生なしのラインよりコンカチネーション情報を選択する。両ラインともアラームなし、または両ラインともアラームありの場合はコンフィグ設定ラインのコンカチネーション情報を優先する。
状態継続監視タイマ５７は、アラーム状態の継続を監視するものであり、アラームが発生したのをトリガにタイマをスタートし、タイマ期間中にアラームがクリアされた場合はタイマをリスタートする。タイマ期間終了までアラームがクリアされなかった場合は、判定結果に従いセレクタ４６の切り替えを行う。監視時間はタイマ時間設定によって変更可能である。
フォーマット設定実行処理部４８はセレクタ４６で選択されたコンカチネーション情報に従って、フォーマット設定実行命令をクロスコネクト部４０に通知する。
本実施例では、ＳＴＳバンドル内のＬＯＰ−Ｐ情報を使用してコンカチネーション情報の受信ライン判定を行うことによって、ＬＯＰ−Ｐ発生時の不完全なフォーマット設定を防止することが可能となる。
また、コンカチネーション情報選択ライン判定結果を状態継続監視タイマ５７にて監視することにより、回線フォーマット設定変更時に発生するＬＯＰ−Ｐを除き、障害によるＬＯＰ−Ｐによってのみコンカチネーション情報選択ラインの切り替えを行うことが可能となる。これにより正確な回線フォーマットの自動設定を行うことができる。
ところで、コンカチネーション情報受信ライン判定及びフォーマット設定をハードウエアにて行うことも可能である。図８は、ＵＰＳＲネットワークに使用するスロットが固定されている場合の本発明を適用した装置の第３実施例の構成図を示す。なお、図８はアド・ドロップを行う構成を示している。
図８において、アンド回路６０Ａ〜６０Ｃで、自ライン（例えばラインＳ１−１），リング相手ライン（例えばラインＳ２−１），クロスコネクト先ライン（例えばラインＳ３−１）それぞれにおけるＳＴＳバンドル内の全パスのＡＩＳ−Ｐ情報の論理積を求め、オア回路６１Ａ〜６１Ｃで各ＳＴＳバンドル内のＬＯＰ−Ｐの論理和を求め、オア回路６２Ａ〜６２Ｃで上記論理積と論理和との論理和をとってアラーム情報としてＡＬＭ比較部６３に供給する。
ＡＬＭ比較部６３は、パス毎に、自ライン、リング相手ライン、及びクロスコネクト先ラインそれぞれのアラーム情報よりコンカチネーション情報の受信ラインを判定しセレクタ制御部６４に通知する。ここでは、ＳＴＳバンドル内のいずれかのパスでＬＯＰ−Ｐのアラームが発生するか、全パスでＡＩＳ−Ｐのアラームが発生したときは、アラーム発生なしのラインよりコンカチネーション情報を選択する。全ラインにアラームなし、または全ラインにアラームありの場合はコンフィグ設定ラインのコンカチネーション情報を優先する。
タイマ部６５は、アラーム発生をトリガにタイマをスタートし、タイマ期間中にアラームがクリアされた場合はタイマを止める。タイマ期間中アラームが続いた場合は、セレクタ制御部６４の出力を有効とし、セレクタ制御部６４はそれを受けて、パス毎に、コンカチネーション情報の受信ラインを選択するセレクタ６６の切り替えを実行する。
フォーマット設定部６７は、セレクタ６６にて選択されたパス毎のコンカチネーション情報に従って図示しないクロスコネクト部におけるフォーマット設定を行う。また、セレクタ６６にて選択されたパス毎のコンカチネーション情報はハードレジスタ６８に格納される。ソフトウエアはハードレジスタ６８の情報を受け、ハードウエアがフォーマット設定の変更を行ったことを認識することができる。
本実施例では、スロット固定のＵＰＳＲネットワーク対応装置においてコンカチネーション情報の受信ラインの判定及び切り替えをハードウエアにて実現する構成を提供することにより、ＵＰＳＲネットワークにおける回線フォーマット切り替え時の障害から短時間で復旧することが可能となる。
図９は、ＵＰＳＲネットワークに使用するスロットが特定されていない場合の本発明を適用した装置の第４実施例の構成図を示す。この図９に示す装置構成はパス単位に設けられている。
ＵＰＳＲネットワークに使用するスロットが特定されていない場合、ＵＰＳＲのリング相手ラインを最初にハードレジスタ７１に設定する必要がある。セレクタ７０Ａ，７０Ｂ，７０Ｃそれぞれは、ハードレジスタ７１に設定されたリング相手ライン情報を基に、全パスのコンカチネーション情報からリング相手ラインのコンカチネーション情報を選択する。
セレクタ７２Ａ，７２Ｂ，７２Ｃそれぞれは、ハードレジスタ７１に設定されたリング相手ライン情報を基に、全パスのアラーム情報からリング相手ライン内のパスアラーム情報を選択する。なお、各パスのアラーム情報は、アンド回路７７で各バンドル内の全パスのＡＩＳ−Ｐ情報の論理積を求め、オア回路７８で各バンドル内の全パスのＬＯＰ−Ｐの論理和を求め、オア回路７９で上記論理積と論理和との論理和をとることで得られる。
セレクタ制御部７４Ａ，７４Ｂ，７４Ｃは、自パスのアラーム情報、セレクタ７６Ａ，７６Ｂ，７６Ｃにて選択されたリング相手ライン内のパスアラーム情報、クロスコネクトされてきたクロスコネクト先パスのアラーム情報、及びコンフィグ設定情報より、コンカチネーション情報の受信ラインの判定を行い、セレクタ７２Ａ，７２Ｂ，７２Ｃの切り替えを実行する。
そして、セレクタ７２Ａ，７２Ｂ，７２Ｃにて選択されたコンカチネーション情報を基に、自パスのフォーマット設定を実行し、ハードレジスタ７１に通知を行う。
ところで、ＵＰＳＲドロップ側のラインについての装置構成では、リング相手ラインを持たないため、セレクタ７６Ａ，７６Ｂ，７６Ｃそれぞれはハイレベル出力（アラームあり）となり、セレクタ制御部７４Ａ，７４Ｂ，７４Ｃは、自パスのアラーム情報、クロスコネクトされてきたクロスコネクト先パスのアラーム情報、及びコンフィグ設定情報より、コンカチネーション情報の受信ラインの判定を行い、この判定結果でセレクタ７２Ａ，７２Ｂ，７２Ｃの切り替えを行う。なお、ドロップ側パスはクロスコネクト先パスが２つ存在するため、アンド回路８０で２つのパスのアラーム情報の論理積を取ったものがクロスコネクト先パスのアラーム情報として使用される。
この際、ドロップ側パスのセレクタ７２Ｃでは、自パスのコンカチネーション情報と、クロスコネクト先の２つのパスのコンカチネーション情報をパススイッチ（ＰＳＷ）８１でスイッチングしたコンカチネーション情報のいずれか一方が選択される。
本実施例では、ハードレジスタ７１に設定されたリング相手ラインのパスアラーム情報と、クロスコネクトされたラインのパスアラーム情報、及びコンフィグ設定情報を使用して、コンカチネーション情報の受信ラインの判定及び切り替えを実行することにより、ＵＰＳＲに使用するスロットが特定されていない装置においても、コンカチネーション情報の受信ラインの判定及び切り替えをハードウエアにて実現することが可能となり、ＵＰＳＲネットワークにおける回線フォーマット切り替え時の障害から短時間で復旧することが可能となる。
図１０は、リング相手ライン情報認識回路部の一実施例の構成図を示す。同図中、ＡＣＭＥ９０及びＡＣＭＷ９２は、各パスにクロスコネクトされるスロット及びパス番号情報をもったメモリである。ＡＣＭＥ９０はＵＰＳＲのイースト側パス、ＡＣＭＷ９２はＵＰＳＲのウエスト側パスに対応している。ＡＣＭ情報は、各パスのイースト、ウエストの情報が同じタイミングでパススイッチ（ＰＳＷ）９４に対しシリアルデータ転送される。パススイッチ９４は、いずれか一方の情報を選択し、その情報を基にクロスコネクト部７３（図９に示すクロスコネクト部と同一）は回線設定を行う。これは従来のＵＰＳＲ対応クロスコネクト装置が持っている構成である。
本発明では、このＡＣＭ情報より、リング相手ライン情報をハードウエアにて自動検出する。図１１に示すタイミングチャートは、イーストスロット１、ウエストスロット２、及びドロップスロット３の場合のスロット１パス１のリング相手先を検出する例を示している。
比較部（ＣＯＭＰＥ）９７及び比較部（ＣＯＭＰＷ）９８は、自スロット及びパス番号（スロット１、パス１）をＡＣＭＥ９０及びＡＣＭＷ９２の情報と比較し、一致した場合はトリガパルスを生成する。フリップフロップ９９にはＡＣＭＥ情報と比較部９８出力の論理積と、ＡＣＭＷ情報と比較部９７出力の論理積との論理和がハードレジスタとしてのフリップフロップ９９に入力され、前記トリガパルスにてラッチされる。このフリップフロップ９９の格納情報が、図９に示したセレクタ７０Ａ〜７０Ｃ及び７６Ａ〜７６にリング相手ライン情報として供給される。
ここで、スロット１パス１は、スロット３パス１のＡＣＭＥ９０に設定されているため、ＡＣＭＷ９２に設定されているスロット２パス１がリング相手ライン情報として出力される。
本実施例により、図９ではハードレジスタ７１に予め設定されたリング相手ライン情報を、ハードウエアでＡＣＭ情報から自動検出することが可能となる。これにより、全パス分のリング相手ライン情報の設定が不要となり、ハードレジスタの規模を削減することが可能となる。
また、従来のクロスコネクト設定を最初に行うだけで、ＳＴＳバンドル機能をハードウエアにて実現することができ、ＵＰＳＲネットワークにおける回線フォーマット切り替え時の障害から短時間で復旧することが可能となる。
図１２は本発明を適用したＳＴＳバンドル機能を持つ通信装置の第５実施例の構成図、図１３は図１２内のソフトウエア処理機能の構成図を示す。図１２及び図１３において、図６及び図７と同一部分には同一符号を付す。
図１２において、コンカチネーション検出部３２ＡはラインＳ１−１の入力信号のＳＯＨ内のポインタであるＨ１，Ｈ２バイトからコンカチネーション情報を検出し、その検出結果をＣＰＵ１００に通知する。ラインアラーム検出部３６Ａは、ラインＳ１−１のラインアラーム（ＬＯＳ，ＬＯＦ，ＡＩＳ−Ｌ）の検出を行って、その検出結果をＣＰＵ１００に通知する。
ＰＯＨ検出部１０２は、ラインＳ１−１の入力信号のＰＯＨ（Ｐａｈｔ  ＯｖｅｒＨｅａｄ）の例えばＧ１バイトよりリモートラインアラーム情報を抽出し、ＣＰＵ１００に通知する。ここで、ＰＯＨは終端されずそのまま次ノードに送出する。クロスコネクト部１０４はＣＰＵ１００からフォーマット設定実行命令を受信したら、回線フォーマット設定を実行する。
ＰＯＨ挿入部１０６は、ＣＰＵ１００よりリモートラインアラームの通知を受けたら、リモートラインアラーム情報をラインＳ２−１の出力信号のＰＯＨのＧ１バイトに挿入する。これと同一構成をラインＳ２−１からラインＳ１−１への向きに対しても同様に、双方向に持つ。
図１３において、アンド回路１０５はラインＳ１−１の各ラインアラームＬＯＳ，ＬＯＦ，ＡＩＳ−Ｌの論理積をとり、アンド回路１０６はラインＳ２−１の各ラインアラームＬＯＳ，ＬＯＦ，ＡＩＳ−Ｌの論理積をとってＰＯＨ処理部１０７に供給する。
ＰＯＨ処理部１０７は、ラインＳ１−１のラインアラームＬＯＳ，ＬＯＦ，ＡＩＳ−Ｌの論理積がハイレベルのときラインＳ２−１に対するリモートラインアラーム情報を生成してクロスコネクトされている先のパスのＰＯＨ挿入部１０６に通知し、ラインＳ２−１のラインアラームＬＯＳ，ＬＯＦ，ＡＩＳ−Ｌの論理積がハイレベルのときラインＳ１−１に対するリモートラインアラーム情報を生成してクロスコネクトされている先のパスのＰＯＨ挿入部に通知する。
コンカチネーション情報受信ライン判定部１０８は、ＰＯＨ検出部１０２等からの両ラインＳ１−１，Ｓ２−１のリモートラインアラーム情報、アンド回路１０５，１０６からの各ラインアラームの論理積、コンフィグ設定情報よりコンカチネーション情報の受信ラインの判定を行い、セレクタ４６の切り替えを行う。
ここでは、一方のラインでリモートラインアラーム、または、ラインアラームが発生した場合は、アラームの発生していないラインよりコンカチネーション情報を受信する。両ラインにおいてリモートラインアラーム、または、ラインアラームが発生した場合、及び両ラインアラームなしの場合はコンフィグ設定ラインを優先する。
フォーマット設定実行処理部４８はセレクタ４６で選択されたコンカチネーション情報に従って、フォーマット設定実行命令をクロスコネクト部１０４等に通知する。
図１４は、上記第５実施例の通信装置をノードとして用いたＵＰＳＲネットワークの一実施例の構成図を示す。同図中、下線を付したラインはコンフィグ設定されているものを示している。また、図中の丸付き数字は、ステップ番号と対応する。
（１）ノードＡ，Ｂ間のラインにて障害が発生する。
（２）ノードＢのラインＳ１−１にラインアラームＬＯＳが発生する。
（３）ラインＳ１−１にてラインアラームを検出したノードＢは、ラインアラーム情報をラインＳ２−１のＳＴＳバンドル内のＰＯＨを使用して送出する。
（４）ノードＣは、ラインＳ１−１方向からのＰＯＨのラインアラーム情報により、コンカチネーション情報受信ラインをコンフィグ設定されているラインＳ１−１からラインＳ２−１に切り替え、その情報を基にフォーマット変更を行う。
（５）ノードＣは、ラインアラーム情報をラインＳ３−１のＳＴＳバンドル内のＰＯＨに載せて送信する。
図１５は本発明を適用したＳＴＳバンドル機能を持つ通信装置の第６実施例の構成図、図１６は図１５内のソフトウエア処理機能の構成図を示す。図１５及び図１６において、図１２及び図１３と同一部分には同一符号を付す。
図１５において、コンカチネーション検出部３２ＡはラインＳ１−１の入力信号のＳＯＨ内のポインタであるＨ１，Ｈ２バイトからコンカチネーション情報を検出し、その検出結果をＣＰＵ１１０に通知する。ラインアラーム検出部３６Ａは、ラインＳ１−１のラインアラーム（ＬＯＳ，ＬＯＦ，ＡＩＳ−Ｌ）の検出を行って、その検出結果をＣＰＵ１１０に通知する。
ＰＯＨ検出部１１２は、ラインＳ１−１の入力信号のＰＯＨの例えばＧ１バイトよりコンカチネーション変化情報を抽出しＣＰＵ１１０に通知する。ここで、ＰＯＨは終端されずそのまま次ノードへ送出する。クロスコネクト部１１４は、ＣＰＵ１１０よりフォーマット設定実行命令を受信したら、回線フォーマット設定を行う。
ＰＯＨ挿入部１１６は、ＣＰＵ１１０よりコンカチネーション変化情報の通知を受けたら、コンカチネーション変化情報をＰＯＨのＧ１バイトに挿入する。これと同一構成をラインＳ２−１からラインＳ１−１への向きに対しても同様に、双方向に持つ。
図１６において、コンカチネーション情報受信ライン判定部１１７は、両ラインのコンカチネーション変化情報、ラインアラーム、コンフィグ設定情報よりコンカチネーション情報の受信ラインの判定を行い、セレクタ４６の切り替えを行う。この場合、コンカチネーション変化情報を受けたラインより優先的コンカチネーション情報を受信する。但し、両ラインよりコンカチネーション変化情報を受けた場合は、コンフィグ設定ラインを優先する。
ラインアラームが発生した場合、コンカチネーション情報受信ライン判定部１１７は、アラームの発生していないラインよりコンカチネーション情報を受信する。両ラインにおいてラインアラームが発生した場合、及び両ラインアラームなしの場合はコンフィグ設定ラインを優先する。
フォーマット設定実行処理部４８はセレクタ４６で選択されたコンカチネーション情報に従って、フォーマット設定実行命令をクロスコネクト部１１６に通知するともに、フォーマット設定の変更があったＳＴＳバンドル内のパスのＰＯＨ挿入部１１６にコンカチネーション変化情報の通知を行う。
図１７は、上記第６実施例の通信装置をノードとして用いたＵＰＳＲネットワークの一実施例の構成図を示す。同図中、下線を付したラインはコンフィグ設定されているものを示している。また、図中の丸付き数字は、ステップ番号と対応する。
（１）ノードＡ，Ｂ間のラインにて障害が発生する。
（２）ノードＡのライン３−１の入力信号フォーマットがＳＴＳ−１からＳＴＳ−３ｃに変化する。
（３）ノードＡは自ノードの回線フォーマット変更を行い、ＳＴＳバンドル内でコンカチネーション情報に変化があったことを表すコンカチネーション変化情報をラインＳ１−１，Ｓ２−１のＳＴＳバンドル内のＰＯＨに載せて送信する。
（４）ノードＤは、コンフィグ設定がもともとラインＳ２−１であるため、そのままラインＳ２−１のコンカチネーション情報よりフォーマット変更を行い、ＰＯＨのコンカチネーション変化情報を上書きしてラインＳ１−１に送信する。
（５）ノードＣは、ラインＳ２−１よりコンカチネーション変化情報を受信するため、コンカチネーション情報の受信ラインをラインＳ２−１に切り替え、そのコンカチネーション情報を基にフォーマット変更を行う。
（６）ここで、ノードＢは受信側回線断のためコンカチネーション変化情報は届かず、回線フォーマットは変更されないので、ノードＣはノードＢの回線フォーマットが変更されずＳＴＳ−１のままであり、コンフィグ設定されているラインＳ１−１からのコンカチネーション情報では回線フォーマットの変更をすることができない。しかし、ラインＳ２−１よりコンカチネーション変化情報を受信するため、ノードＣはコンカチネーション情報受信ラインをＳ２−１に切り替えることが可能となり、その情報を基に回線フォーマットをＳＴＳ−３ｃに変更することができる。また、ノードＣは、ＰＯＨのコンカチネーション変化情報を上書きしてラインＳ３−１に送信する。
このように、回線フォーマットの変更を行ったノードがＰＯＨを利用してコンカチネーション変化情報を送出し、コンカチネーション変化情報を受信したラインのコンカチネーション情報を優先的に使用して回線フォーマットの変更を行うことによって、障害発生時のＵＰＳＲネットワークにおいても正確な回線フォーマットの自動設定を行うことが可能となる。
このように、本発明では、各ラインのラインアラーム情報、ＳＴＳバンドル内の全パスのＬＯＰ−Ｐ、及び全パスのＡＩＳ−Ｐの状態を比較してコンカチネーション情報の受信ラインの選択を行うことにより、障害発生時のＵＰＳＲネットワークにおいて確実にフォーマットの自動設定を行うことが可能となり、ＵＰＳＲネットワークにおけるＳＴＳバンドル回線使用時の障害復旧が可能となる。
また、リモートラインアラーム情報またはコンカチネーション変化情報をＳＴＳバンドル回線内のＰＯＨを利用して伝達し、その情報を用いてコンカチネーション情報の受信ラインの選択を行うことにより、障害発生時のＵＰＳＲネットワークにおいて確実にフォーマットの自動設定を行うことが可能となり、ＵＰＳＲネットワークにおけるＳＴＳバンドル回線使用時の障害復旧が可能となる。
さらに、コンカチネーション情報の受信ラインの判定及び切り替え処理をハードウエアにて実現する回路構成を提供することにより、ネットワーク全体のフォーマット自動設定時間を短縮し、ＵＰＳＲネットワークにおける回線フォーマット変更時の障害から短時間で復旧することが可能となる。
以上のことから、ＵＰＳＲネットワークにおける回線フォーマット変更時の障害より、確実かつ短時間での復旧が可能なＳＴＳバンドル回線の提供が可能となり、信頼性の高い障害復旧機能を持つＳＴＳバンドル回線対応装置を提供することが可能となる。
ところで、図１４のノードＢ，Ｄのようなスルー局においては、１つのクロスコネクトに対して１つのコンフィグ設定となる。また、ノードＡ，Ｃのようなアド・ドロップ局では２本のクロスコネクト（ラインＳ１−１とＳ３−１の間、Ｓ２−１とＳ３−１の間）に対して１つのコンフィグ設定となるため、Ｓ１−１，Ｓ２−１，Ｓ３−１に対してコンフィグ設定は同時に同一設定が行われる。
なお、図４や図６に示す構成では、ノードＢ，Ｄのようなスルー局において、ラインＳ１−１，Ｓ２−１のアラーム情報を比較してコンフィグの切り替えを行うため、クロスコネクトがラインＳ１−１とＳ２−１の間で設定されていると考えると対応可能である。また、図１２や図１５に示す構成ではスルー局においては、図１２や図１５に示す構成をラインＳ１−１及びＳ２−１の双方向に持ち、両方向のアラーム情報を比較してコンフィグの切り替えを行う。
なお、本発明はＳＯＮＥＴに限らず、ＳＤＨ（Ｓｙｎｃｈｒｏｎｏｕｓ  Ｄｉｇｉｔａｌ  Ｈｉｅｒａｒｃｈｙ）にも適用可能である。
なお、ラインアラーム検出部３６Ａ，３６Ｂが請求項記載のラインアラーム検出手段に対応し、ＡＩＳ−Ｐ検出部３８Ａ，３８Ｂがパスアラーム検出手段に対応し、コンカチネーション検出部３２Ａ，３２Ｂがコンカチネーション情報検出手段に対応し、コンカチネーション情報受信ライン判定部４２，５２，１０８，１１７，セレクタ４６及び図８及び図９がコンカチネーション情報受信ライン選択手段に対応し、ＬＯＰ−Ｐ検出部５１Ａ，５１Ｂがポインタ消失検出手段に対応し、状態継続監視タイマ５７，タイマ６５がタイマ手段に対応し、ＡＣＭＥ９０及びＡＣＭＷ９２が格納手段に対応し、ＰＯＨ挿入部１０６がリモートアラーム情報挿入手段に対応し、ＰＯＨ検出部１０２がリモートアラーム情報検出手段に対応し、ＰＯＨ挿入部１１６がコンカチネーション変化情報挿入手段に対応し、ＰＯＨ検出部１１２がコンカチネーション変化情報検出手段に対応する。
【図１】
2004051898.tif 000003
【図２】
2004051898.tif 000004
【図３】
2004051898.tif 000005
【図４】
2004051898.tif 000006
【図５】
2004051898.tif 000007
【図６】
2004051898.tif 000008
【図７】
2004051898.tif 000009
【図８】
2004051898.tif 000010
【図９】
2004051898.tif 000011
【図１０】
2004051898.tif 000012
【図１１】
2004051898.tif 000013
【図１２】
2004051898.tif 000014
【図１３】
2004051898.tif 000015
【図１４】
2004051898.tif 000016
【図１５】
2004051898.tif 000017
【図１６】
2004051898.tif 000018
【図１７】
2004051898.tif 000019
【国際調査報告】
2004051898.tif 000020
2004051898.tif 000021